【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
視聴者履歴におけるトレンドを特定する方法であって、
視聴者によりアクセスされたコンテンツでの少なくとも１つの特徴の複数の発生を示す視聴履歴を生成し、
前記視聴履歴を２つ以上の視聴履歴部分に分割し、前記視聴履歴部分のそれぞれが第１の所定の時間間隔に対応し、
前記２つ以上の視聴履歴部分のそれぞれを２つ以上の視聴履歴サブ部分に分割し、前記２つ以上の視聴履歴サブ部分のそれぞれが第２の所定の時間間隔に対応し、
前記２つ以上の視聴履歴サブ部分のそれぞれのトレンドを評価し、
前記２つ以上の視聴履歴サブ部分の前記評価されたトレンドに基づいて、前記２つ以上の視聴履歴部分のそれぞれのトレンドを評価することを有する方法。
【請求項２】
請求項１に記載の方法であって、
前記アクセスされたコンテンツがテレビ番組である方法。
【請求項３】
請求項１に記載の方法であって、
前記アクセスされたコンテンツがウェブサイトである方法。
【請求項４】
請求項１に記載の方法であって、
前記第２の所定の時間間隔のうちの少なくとも２つが重複する方法。
【請求項５】
請求項１に記載の方法であって、
前記２つ以上の視聴履歴部分のそれぞれでの前記少なくとも１つの特徴の条件付確率を計算することを更に有し、
前記２つ以上の視聴履歴サブ部分のそれぞれの前記トレンドの評価が、前記計算された条件付確率に基づく方法。
【請求項６】
請求項１に記載の方法であって、
前記２つ以上の視聴履歴部分のそれぞれの前記評価されたトレンドが、その２つ以上の視聴履歴サブ部分の前記評価されたトレンドの過半数に基づく方法。
【請求項７】
提案装置へのユーザプロフィールの格納を管理する方法であって、
長期のユーザの動作を監視し、
２つ以上の視聴履歴部分として前記ユーザプロフィールを生成することを有し、
前記視聴履歴部分のそれぞれが第１の所定の時間間隔に対応し、前記２つ以上の視聴履歴部分のそれぞれが２つ以上の視聴履歴サブ部分に更に分割され、前記視聴履歴サブ部分のそれぞれが第２の所定の時間間隔に対応する方法。
【請求項８】
請求項７に記載の方法であって、
前記ユーザプロフィールが、テレビ番組提案器に関連付けられる方法。
【請求項９】
請求項７に記載の方法であって、
前記ユーザプロフィールが、ウェブサイト提案器に関連付けられる方法。
【請求項１０】
請求項７に記載の方法であって、
前記２つ以上の視聴履歴サブ部分が、連続的である方法。
【請求項１１】
請求項７に記載の方法であって、
前記２つ以上の視聴履歴サブ部分が、第３の所定の時間間隔により重複する方法。
【請求項１２】
請求項７に記載の方法であって、
前記２つ以上の視聴履歴サブ部分の評価されたトレンドに基づいて、前記２つ以上の視聴履歴部分のそれぞれのトレンドを評価することを更に有する方法。
【請求項１３】
視聴者履歴におけるトレンドを特定するコンピュータ読取可能媒体に具体化されたコンピュータプログラムであって、
視聴者によりアクセスされたコンテンツでの少なくとも１つの特徴の複数の発生を示す視聴履歴を生成するコンピュータ読取可能プログラムコード手段と、
前記視聴履歴を２つ以上の視聴履歴部分に分割し、前記視聴履歴部分のそれぞれが第１の所定の時間間隔に対応するコンピュータ読取可能プログラムコード手段と、
前記２つ以上の視聴履歴部分のそれぞれを２つ以上の視聴履歴サブ部分に分割し、前記２つ以上の視聴履歴サブ部分のそれぞれが第２の所定の時間間隔に対応するコンピュータ読取可能コード手段と、
前記２つ以上の視聴履歴サブ部分のそれぞれのトレンドを評価するコンピュータ読取可能コード手段と、
前記２つ以上の視聴履歴サブ部分の前記評価されたトレンドに基づいて、前記２つ以上の視聴履歴部分のそれぞれのトレンドを評価するコンピュータ読取可能プログラムコード手段と
を有するコンピュータプログラム。
【請求項１４】
請求項１３に記載のコンピュータプログラムであって、
前記２つ以上の視聴履歴部分のそれぞれでの前記少なくとも１つの特徴の条件付確率を計算するコンピュータ読取可能プログラムコード手段を更に有し、
前記２つ以上の視聴履歴サブ部分のそれぞれの前記トレンドの評価が、前記計算された条件付確率に基づくコンピュータプログラム。
【請求項１５】
請求項１３に記載のコンピュータプログラムであって、
前記２つ以上の視聴履歴部分のそれぞれの前記評価されたトレンドが、その２つ以上の視聴履歴サブ部分の前記評価されたトレンドの過半数に基づくコンピュータプログラム。
【請求項１６】
機械により実行可能な命令のプログラムを明白に具体化し、視聴者履歴におけるトレンドを特定する方法のステップを実行する、機械で読取可能なプログラム記憶装置であって、
前記方法が、
視聴者によりアクセスされたコンテンツでの少なくとも１つの特徴の複数の発生を示す視聴履歴を生成し、
前記視聴履歴を２つ以上の視聴履歴部分に分割し、前記視聴履歴部分のそれぞれが第１の所定の時間間隔に対応し、
前記２つ以上の視聴履歴部分のそれぞれを２つ以上の視聴履歴サブ部分に分割し、前記２つ以上の視聴履歴サブ部分のそれぞれが第２の所定の時間間隔に対応し、
前記２つ以上の視聴履歴サブ部分のそれぞれのトレンドを評価し、
前記２つ以上の視聴履歴サブ部分の前記評価されたトレンドに基づいて、前記２つ以上の視聴履歴部分のそれぞれのトレンドを評価することを有するプログラム記憶装置。
【請求項１７】
請求項１６に記載のプログラム記憶装置であって、
前記方法が、
前記２つ以上の視聴履歴部分のそれぞれでの前記少なくとも１つの特徴の条件付確率を計算することを有し、
前記２つ以上の視聴履歴サブ部分のそれぞれの前記トレンドの評価が、前記計算された条件付確率に基づくプログラム記憶装置。
【請求項１８】
請求項１６に記載のプログラム記憶装置であって、
前記２つ以上の視聴履歴部分のそれぞれの前記評価されたトレンドが、その２つ以上の視聴履歴サブ部分の前記評価されたトレンドの過半数に基づくプログラム記憶装置。
【請求項１９】
視聴者履歴におけるトレンドを特定する装置であって、
視聴者によりアクセスされたコンテンツでの少なくとも１つの特徴の複数の発生を示す視聴履歴を生成する手段と、
前記視聴履歴を２つ以上の視聴履歴部分に分割し、前記視聴履歴部分のそれぞれが第１の所定の時間間隔に対応する手段と、
前記２つ以上の視聴履歴部分のそれぞれを２つ以上の視聴履歴サブ部分に分割し、前記２つ以上の視聴履歴サブ部分のそれぞれが第２の所定の時間間隔に対応する手段と、
前記２つ以上の視聴履歴サブ部分のそれぞれのトレンドを評価する手段と、
前記２つ以上の視聴履歴サブ部分の前記評価されたトレンドに基づいて、前記２つ以上の視聴履歴部分のそれぞれのトレンドを評価する手段と
を有する装置。
【請求項２０】
請求項１９に記載の装置であって、
前記アクセスされたコンテンツが、テレビ番組である装置。
【請求項２１】
請求項１９に記載の装置であって、
前記アクセスされたコンテンツが、ウェブサイトである装置。
【請求項２２】
請求項１９に記載の装置であって、
前記第２の所定の時間間隔のうちの少なくとも２つが重複する装置。
【請求項２３】
請求項１９に記載の装置であって、
前記２つ以上の視聴履歴部分のそれぞれでの前記少なくとも１つの特徴の条件付確率を計算する手段を更に有し、
前記２つ以上の視聴履歴サブ部分のそれぞれの前記トレンドの評価が、前記計算された条件付確率に基づく装置。
【請求項２４】
請求項１９に記載の装置であって、
前記２つ以上の視聴履歴部分のそれぞれの前記評価されたトレンドが、その２つ以上の視聴履歴サブ部分の評価されたトレンドの過半数に基づく装置。